(57)【要約】【課題】就職活動に関係する主にスケジュール情報を一元管理できるようにし、学生の就職活動の効率化する。【解決手段】就職活動を行っている学生宛ての電子メールからスケジュール情報を抽出し、当該スケジュール情報に含まれている企業名が、企業毎に優先度が付された企業リストに含まれているか判断する。そして、スケジュール情報に含まれている企業名が企業リストに含まれている場合には、スケジュール情報を当該企業の優先度の情報と共に、スケジュールＤＢに格納する。また、学生端末からの要求に応じて、特定の日付のスケジュール情報を関連する企業の優先度の情報と共に学生端末に送信し、学生端末から特定の日付のスケジュール情報に含まれるいずれかの企業の予定を削除する要求を受信した場合に、当該要求に従って指定された当該企業の予定をスケジュールＤＢから削除し、さらに学生端末に指定された企業宛てのメール送信を促す。【選択図】図１
2007115277.tif 000002
【特許請求の範囲】
【請求項１】
就職活動を行っている学生が選択した企業のメールアドレスを前記企業毎に登録する選択企業データベースと、前記学生のスケジュール情報を前記学生毎に登録するスケジュールデータベースとにアクセス可能なサーバにより実行され、電子メールに基づき就職活動のスケジュール管理を行う方法であって、
前記企業から前記学生宛ての前記電子メールを受信した場合に、当該電子メールの送信元メールアドレスで前記選択企業データベースを検索して、前記送信元メールアドレスが前記選択企業データベースに登録されているか否か判断するステップと、
前記送信元メールアドレスが前記選択企業データベースに登録されていると判断された場合、前記電子メールから活動予定の情報を抽出し、抽出した前記活動予定の情報を前記スケジュール情報として、当該学生に対応して前記スケジュールデータベースに登録する登録ステップと、
を含むスケジュール管理方法。
【請求項２】
前記学生の端末から特定の日付のスケジュール情報の参照要求を受信した場合に、前記スケジュールデータベースから当該学生に対応する前記特定の日付のスケジュール情報を読み出し、当該学生の端末に送信するステップ
をさらに含む請求項１記載のスケジュール管理方法。
【請求項３】
前記学生の端末から前記特定の日付のスケジュール情報に含まれるいずれかの前記活動予定を削除する削除要求を受信した場合に、前記削除要求で指定された前記活動予定の情報を前記スケジュールデータベースに登録され且つ当該学生に対応する前記スケジュール情報から削除すると共に、当該活動予定に係る前記企業にメール送信を促すための情報を前記学生の端末に送信するステップ
をさらに含む請求項２記載のスケジュール管理方法。
【請求項４】
前記学生の端末から前記スケジュール情報の参照要求を受信した場合には、前記スケジュールデータベースに登録され且つ当該学生に対応する前記スケジュール情報を参照し、当該スケジュール情報の参照要求の受信時以前の企業訪問を示す前記活動予定が存在するか否か判断するステップと、
前記スケジュール情報の参照要求の受信時以前の企業訪問を示す前記活動予定が存在する場合には、当該活動予定に係る前記企業についてのアンケートに回答するように促すための情報を、前記学生の端末に送信するステップと、
をさらに含む請求項１記載のスケジュール管理方法。
【請求項５】
電子メールに基づき就職活動のスケジュール管理を行うためのプログラムを格納する記録媒体であって、
前記プログラムは、コンピュータに、
企業から就職活動を行っている学生宛ての前記電子メールを受信した場合に、当該電子メールの送信元メールアドレスを基に、前記学生が選択した前記企業のメールアドレスを前記企業毎に登録する選択企業データベースを検索して、前記送信元メールアドレスが前記選択企業データベースに登録されているか否か判断するステップと、
前記送信元メールアドレスが前記選択企業データベースに登録されていると判断された場合、前記電子メールから活動予定の情報を抽出し、抽出した前記活動予定の情報をスケジュール情報として、当該学生に対応してスケジュールデータベースに登録する登録ステップと、
を実行させるためのプログラムである、記録媒体。
【発明の詳細な説明】
【技術分野】
【０００１】
本発明は、学生の就職活動を支援するための情報処理技術に関する。
【背景技術】
【０００２】
従来、インターネット等のネットワーク上でスケジュールを管理するシステムは存在していたが、学生の就職活動に注目したスケジュール管理システムは存在していない。学生の就職活動では、主に学生の電子メールや、電話、郵便等がそれぞれの状況で用いられており、就職活動全般に渡る情報の一元管理はなされていない。
【特許文献１】特開平１０−０３１６３５号公報
【発明の開示】
【発明が解決しようとする課題】
【０００３】
よって本発明の目的は、就職活動に関係する主にスケジュール情報を一元管理できるようにし、学生の就職活動の効率化を計るための情報処理技術を提供することである。
【０００４】
また他の目的は、企業に対する求人活動を支援すべく、企業のための情報を収集できるようにするための情報処理技術を提供することである。
【課題を解決するための手段】
【０００５】
本発明に係る、電子メールに基づき就職活動のスケジュール管理を行う方法は、就職活動を行っている学生宛ての電子メールからスケジュール情報を抽出するステップと、抽出されたスケジュール情報に含まれている企業名が、予め登録されており且つ企業毎に優先度が付された企業リストに含まれているか判断するステップと、スケジュール情報に含まれている企業名が企業リストに含まれている場合には、スケジュール情報を当該企業の優先度の情報と共に、スケジュール記憶装置に格納するステップとを含む。
【０００６】
このように、電子メールから自動的にスケジュール情報が抽出されて登録されるため、電子メールの確認漏れが無くなる。また、スケジュール情報にも優先度が付されることにより、学生は就職活動の優先度を容易に認識できるようになる。
【０００７】
また、学生の端末からの要求に応じて、特定の日付のスケジュール情報を例えば関連する企業の優先度の情報と共に当該学生の端末に送信するステップと、学生の端末から、特定の日付のスケジュール情報に含まれるいずれかの企業の予定を削除する要求を受信した場合に、当該要求に従って、指定された当該企業の予定をスケジュール記憶装置から削除するステップとを含むような構成であってもよい。このようにスケジュール情報の優先度を参照して、予定が重複した場合に簡単に対処することができる。さらに、予定を削除する要求を受信した場合に、学生の端末に、指定された企業宛てのメール送信を促すための情報を送信するステップをさらに含むような構成であってもよい。これにより、漏れなく企業に対して失礼が無いように断りを入れることができる。
【０００８】
さらに、学生の端末からスケジュール情報の参照要求を受信した場合には、当該参照要求前に企業訪問が予定されていたか、スケジュール記憶装置内の当該学生の領域を検査するステップと、参照要求前に企業訪問が予定されていた場合には、当該企業についてのアンケートに回答するように促すための情報を、学生の端末に送信するステップとをさらに含むような構成であってもよい。これにより、企業訪問の印象が薄れる前に、学生に当該企業についてのアンケートを答えてもらうことができるようになる。このようなアンケート結果は集計されて、企業側に提供され、企業の求人活動に役立てられる。
【０００９】
なお、上で述べたようなスケジュール管理方法を、通常のコンピュータとプログラムの組み合せ（情報処理装置）にて実装することができ、当該プログラムは、例えばフロッピー（登録商標）ディスク、ＣＤ−ＲＯＭ、光磁気ディスク、半導体メモリ、ハードディスク等の記憶媒体又は記憶装置に格納される。また、処理途中の中間的なデータは、コンピュータのメインメモリなどの記憶装置に格納される。
【発明の効果】
【００１０】
以上のように、就職活動に関係する主にスケジュール情報を一元管理できるようにし、学生の就職活動の効率化を計るための情報処理技術を提供することができた。
【００１１】
また、企業に対する求人活動を支援すべく、企業のための情報を収集できるようにするための情報処理技術を提供することができた。
【発明を実施するための最良の形態】
【００１２】
本発明の一実施の形態に係るシステム概要を図１に示す。コンピュータ・ネットワークであるインターネット１には、本発明の主たる処理を実施するサーバ３と、就職活動を行っている学生が操作し、ウェブ（Ｗｅｂ）ブラウザ機能を有する学生端末５と、学生が操作し、Ｗｅｂブラウザ機能を有する携帯電話機（学生端末）７と、企業の人事スタッフが操作し、Ｗｅｂブラウザ機能を有する企業端末９とが接続する。学生端末５及び企業端末９は、例えばパーソナル・コンピュータである。また、携帯電話機７は、携帯端末又は携帯電話機と携帯端末の組合せであっても良い。学生端末５、企業端末９、携帯電話機７は、図１では１台ずつしか示していないが、通常は複数存在している。サーバ３は、Ｗｅｂサーバ機能とメール・サーバ機能を有している。サーバ３は、図１では一台しか示していないが、複数のサーバにて以下に説明するような機能を実施するようにしても良い。
【００１３】
サーバ３は、学生情報データベース（ＤＢ）３１と、学生スケジュールＤＢ３３と、学生メールＤＢ３５と、企業情報ＤＢ３７と、説明会日程ＤＢ３９と、アンケート情報ＤＢ４１と、企業メールＤＢ４３とを管理している。学生情報ＤＢ３１には、学生基本情報ＤＢファイルと、履歴書ＤＢファイルと、検索ログ（企業リスト）ＤＢファイルと、選択企業ＤＢファイルと、回答済企業ＤＢファイルと、求職情報ＤＢファイル等を含む。企業情報ＤＢ３７は、企業基本情報ＤＢファイルと、求人情報ＤＢファイル等を含む。アンケート情報ＤＢ４１は、企業評価ＤＢファイルと、アンケート項目ＤＢファイルと、申込状況ＤＢファイル等を含む。
【００１４】
次に図２乃至図５３を用いて図１に示したシステムの動作を説明する。まず図２乃至図４を用いて学生の登録処理のフローを説明する。学生は、学生端末５に、本システムで提供されるホームページにアクセスさせる（ステップＳ１）。サーバ３は、アクセスに応答して、ホームページの画面情報を学生端末５に送信する（ステップＳ３）。これに対して学生端末５は、ホームページの画面情報を受信して、表示装置に表示する（ステップＳ５）。例えば図３のような表示がなされる。本実施の形態では、会員制がとられており、ログインする場合にはＩＤ・パスワード入力欄３０１を利用するようになっている。また、新規会員登録を行う場合には、新規会員登録リンク３０３を用いるようになっている。画面の部分３０５は非会員に対して提供されるサービスを示している。
【００１５】
ここでは学生が会員登録することを決断した場合を説明する。学生は、新規会員登録リンク３０３をクリックして、学生端末５に会員登録の選択入力をサーバ３へ送信させる（ステップＳ７）。サーバ３は、会員登録の選択入力を受信すると（ステップＳ９）、会員登録画面情報を当該学生端末５に送信する（ステップＳ１１）。会員登録画面には、学生の氏名、住所、電話番号、学校名、学部名、学科名等の基本的な情報を入力するための欄と、希望の企業の条件等の求職情報を入力するための欄とが設けられている。学生端末５は、サーバ３から会員登録画面情報を受信し、表示装置に表示する（ステップＳ１３）。
【００１６】
学生は、この画面に対して学生の基本情報及び求職情報を入力し、学生端末５にサーバ３へ送信させる（ステップＳ１５）。サーバ３は、学生端末５から基本情報及び求職情報を受信して（ステップＳ１７）、当該学生に対する学生メールＩＤ及びパスワードを発行し、当該学生メールＩＤ及びパスワードを学生端末５に送信する（ステップＳ１９）。なお、この学生メールＩＤ及びパスワードについては、ＨＴＭＬ（Hyper Text Markup Language）ファイルとして学生端末５に送信しても良いし、別途電子メールにて送信するようにしても良い。学生端末５は、サーバ３から学生メールＩＤ及びパスワードを受信し、表示装置に表示する（ステップＳ２１）。学生は、画面を見て、学生メールＩＤ及びパスワードを記録しておく。一方、サーバ３は、発行した学生メールＩＤに対応してパスワード及び学生基本情報を、学生情報ＤＢ３１の学生基本情報ＤＢファイルに格納し、学生メールＩＤに対応して求職情報を学生情報ＤＢ３１の求職情報ＤＢファイルに格納する（ステップＳ２３）。
【００１７】
例えば学生基本情報ＤＢファイルは図４に示すようなデータを格納している。本実施の形態では、レコード番号、登録日、学生メールＩＤ（単にユーザＩＤと呼ぶ場合もある）、パスワード、メール・アドレス（学生個人のメール・アドレス）、姓名、姓名のかな表記、郵便番号、住所、電話番号、携帯電話番号、ＦＡＸ番号、学校名、学部名、学科名等が格納される。なお、結合情報連結番号は、他の基本情報が登録される場合もあるので、その場合に当該他の基本情報が格納される場所の番号を記録するものである。なお、他の基本情報には、求職情報を含めるようにすることも可能であるし、本実施の形態のように求職情報ＤＢファイルを別途設けるようにしても良い。
【００１８】
次に図５乃至図７を用いて企業の登録処理のフローを説明する。企業の人事スタッフは、企業端末９に、本システムで提供されるホームページにアクセスさせる（ステップＳ２５）。サーバ３は、アクセスに応答して、ホームページの画面情報を企業端末９に送信する（ステップＳ２７）。これに対して企業端末９は、ホームページの画面情報を受信して、表示装置に表示する（ステップＳ２９）。例えば図３のような表示がなされる。本実施の形態では、企業も会員制がとられており、ログインする場合にはＩＤ・パスワード入力欄３０１を利用するようになっている。また、企業向けページへのリンク（図示せず）も設けられている。
【００１９】
ここでは企業の人事スタッフが会員登録することを決断した場合を説明する。人事スタッフは、企業向けページへのリンクをクリックして、企業端末９に企業向けページへアクセスさせる（ステップＳ３１）。サーバ３は、企業向けページへのアクセスに応答して、当該企業向けページの画面情報を、企業端末９に送信する（ステップＳ３３）。企業端末９は、サーバ３から企業向けページの画面情報を受信して、表示装置に表示する（ステップＳ３５）。例えば図６のような画面が表示される。ここでは、新規企業登録ページへのリンク６０１と、会員企業様用サービス・ページへのリンク６０３とが設けられている。企業会員は、会員企業様用サービス・ページへのリンク６０３を用いてログインすることも可能である。
【００２０】
ここでは会員登録するために、企業の人事スタッフは、新規企業登録ページへのリンク６０１をクリックして、新規登録の選択入力を企業端末９にサーバ３へ送信させる（ステップＳ３７）。これに対してサーバ３は、企業端末９から新規登録の選択入力を受信し（ステップＳ３９）、新規登録画面情報を企業端末９に送信する（ステップＳ４１）。会員登録画面には、企業の名称、住所、電話番号、採用担当者の住所、氏名、電話番号等の基本的な情報を入力するための欄と、希望の学生の条件等の求人情報を入力するための欄とが設けられている。企業端末９は、サーバ３から会員登録画面情報を受信し、表示装置に表示する（ステップＳ４３）。
【００２１】
企業の人事スタッフは、この画面に対して企業の基本情報及び求人情報を入力し、企業端末９にサーバ３へ送信させる（ステップＳ４５）。サーバ３は、企業端末９から基本情報及び求人情報を受信して（ステップＳ４７）、当該企業に対して企業メールＩＤ及びパスワードを発行し、当該企業メールＩＤ及びパスワードを企業端末９に送信する（ステップＳ４９）。なお、この企業メールＩＤ及びパスワードについては、ＨＴＭＬファイルとして企業端末９に送信しても良いし、別途電子メールにて送信するようにしても良い。企業端末９は、サーバ３から企業メールＩＤ及びパスワードを受信し、表示装置に表示する（ステップＳ５１）。企業の人事スタッフは、画面を見て、企業メールＩＤ及びパスワードを記録しておく。一方、サーバ３は、発行した企業メールＩＤに対応してパスワード及び企業基本情報を、企業情報ＤＢ３７の企業基本情報ＤＢファイルに格納し、企業メールＩＤに対応して求人情報を企業情報ＤＢ３７の求人情報ＤＢファイルに格納する（ステップＳ５３）。
【００２２】
例えば企業基本情報ＤＢファイルは図７に示すようなデータを格納している。本実施の形態では、レコード番号、登録日、企業メールＩＤ（単にユーザＩＤと呼ぶ場合もある）、パスワード、メール・アドレス（企業の代表メール・アドレス。又は採用担当者のメール・アドレス）、名称、名称のかな表記、本社郵便番号、本社住所、採用担当者の郵便番号、採用担当者の住所、採用担当者の電話、採用担当者のＦＡＸ番号、採用担当部署名、採用担当者名等が格納される、なお、結合情報連結番号は、他の基本情報が登録される場合もあるので、その場合に当該他の基本情報が格納される場所の番号を記録するものである。なお、他の基本情報には、求人情報を含めるようにすることも可能であるし、本実施の形態のように求人情報ＤＢファイルを別途設けるようにしても良い。
【００２３】
次に図８及び図９を用いて電子履歴書登録処理のフローを説明する。学生が、学生端末５に、本システムで提供されるホームページにアクセスさせる（ステップＳ５５）。サーバ３は、このアクセスに応答して、ホームページの画面情報を学生端末５に送信する（ステップＳ５７）。学生端末５は、サーバ３からホームページ画面情報を受信して、表示装置に表示する（ステップＳ５９）。例えば、図３のような画面表示がなされる。そして、学生はＩＤ・パスワード入力欄３０１に学生メールＩＤ及びパスワードを入力し、学生端末５にサーバ３へＩＤ及びパスワードを送信させる（ステップＳ６１）。サーバ３は、学生端末５からＩＤ及びパスワードを受信すると（ステップＳ６３）、学生情報ＤＢ３１の学生基本情報ＤＢファイルを参照して、認証処理を実施する（ステップＳ６５）。すなわち、ＩＤ及びパスワードの対が学生基本情報ＤＢファイルに格納されているものと同じかどうかを判断する。もし、認証処理に失敗した場合に、サーバ３は認証失敗を通知するための画面情報を学生端末５に送信し、学生端末５は当該認証失敗通知画面を表示する（ステップＳ６７）。
【００２４】
もし認証処理に成功した場合には、学生会員向けページの画面情報を学生端末５へ送信する（ステップＳ６９）。学生端末５は、サーバ３から学生会員向けページの画面情報を受信し、表示装置に表示する（ステップＳ７１）。例えば、図９のような画面が表示される。ここでは、企業からのお知らせページへのリンク９０１、セミナー・イベントカレンダー・ページへのリンク９０３、企業マッチング・ページへのリンク９０５、企業検索ページへのリンク９０７、電子履歴書作成ページへのリンク９０９．会員登録情報の変更＆更新ページへのリンク９１１、Ｗｅｂメール送信又は受信のためのページへのリンク９１３、スケジュール表示のためのページへのリンク９１５、会議室（フォーラム）ページへのリンク９１７、メール・マガジンの登録ページへのリンク９１９、企業選択ページへのリンク９２１、日々の就職活動記録ページへのリンク９２３、私の就職活動日誌の作成ページへのリンク９２５とが設けられている。
【００２５】
ここでは電子履歴書の登録を行うので、学生は、電子履歴書作成ページへのリンク９０９をクリックし、学生端末５に電子履歴書の選択入力を、サーバ３へ送信させる（ステップＳ７３）。サーバ３は、学生端末５から電子履歴書の選択入力を受信すると（ステップＳ７５）、電子履歴書入力フォーム画面情報を学生端末５に送信する（ステップＳ７７）。学生端末５は、サーバ３から電子履歴書入力フォーム画面情報を受信し、表示装置に表示する（ステップＳ７９）。学生は、この画面に従って、自分の履歴書情報を入力し、入力が完了すると、送信ボタンをクリックする。そうすると、学生端末５は、入力された履歴書情報をサーバ３に送信する（ステップＳ８１）。サーバ３は、学生端末５から履歴書情報を受信すると（ステップＳ８３）、学生メールＩＤに対応して当該履歴書情報を学生情報ＤＢ３１の履歴書ＤＢファイルに格納する（ステップＳ８５）。そして、登録完了画面情報を学生端末５に送信する（ステップＳ８７）。学生端末５は、サーバ３から登録完了画面情報を受信して、表示装置に表示する（ステップＳ８９）。
【００２６】
なお、履歴書情報を履歴書ＤＢファイルに格納する前に、登録内容確認画面を学生端末５に送信して、確認において問題なしという応答を受信した場合に、履歴書ＤＢファイルに登録するような構成であってもよい。登録完了画面からは、例えば図９のような学生会員向けページに移行するような構成であってもよい。
【００２７】
次に、学生が企業マッチング処理を実施する際の処理フローを図１０乃至図１２を用いて説明する。現在図９の画面が表示されているとする。すなわち、図８のステップＳ７１から処理が開始するものとする。図９の画面において、学生は、企業マッチング・ページへのリンク９０５をクリックする。そうすると、学生端末５は、企業マッチングの選択入力をサーバ３に送信する（ステップＳ９１）。サーバ３は、企業マッチングの選択入力を受信して（ステップＳ９３）、当該学生の求職情報を学生情報ＤＢ３１の求職情報ＤＢファイルから読み出す（ステップＳ９５）。そして、企業の求人情報が格納された企業情報ＤＢ３７の求人情報ＤＢファイルと、当該学生の求職情報とを用いて、マッチング処理を行う（ステップＳ９７）。すなわち、求人条件と求職条件がマッチする企業を抽出する。このマッチング結果を当該学生の企業リストとして、学生メールＩＤに対応して学生情報ＤＢ３１の検索ログＤＢファイルに登録する（ステップＳ９９）。
【００２８】
そしてサーバ３は、企業情報ＤＢ３７を企業リストに列挙された各企業について検索し、当該企業リストの企業情報を含む画面情報を作成して、学生端末５に送信する（ステップＳ１０１）。そして、学生メールＩＤ宛てに当該企業リストを送信する（ステップＳ１０７）。一方、学生端末５は、企業リストの企業情報を含む画面情報を受信して、表示装置に表示する（ステップＳ１０３）。例えば図１１に示すような画面が表示される。図１１の例では、４社がマッチングの結果として抽出されている。
【００２９】
このようにして、学生は自己及び企業の条件に合致する企業を探し出すことができるようになる。なお、ここでは図９の企業マッチング・ページへのリンク９０５を選択することにしたが、企業検索ページへのリンク９０７を選択して、社名別、職種別、勤務地別、採用職種別、社風・制度別の条件等で企業を検索するようにしても、企業リストは生成され、且つ学生メールＩＤへの送信及び検索ログＤＢファイルへの登録が行われる。但し、学生メールＩＤへの送信及び検索ログＤＢファイルへの登録は必須ではない。
【００３０】
そして本実施の形態では各企業の詳細ページへのリンクが設けられており、学生はこのうちの特定の１つをクリックするものとする。そうすると、学生端末５は、特定の企業の選択入力をサーバ３に送信する（ステップＳ１０５）。これに対してサーバ３は、特定の企業の選択入力を受信し（ステップＳ１０９）、特定の企業の企業情報を、企業情報ＤＢ３７からさらに読み出す（ステップＳ１１１）。そして、当該特定の企業の企業情報を含む画面情報を作成し、学生端末５に送信する（ステップＳ１１３）。学生端末５は、特定の企業の企業情報を含む画面情報を受信して、表示装置に表示する（ステップＳ１１５）。例えば図１２に示すような画面が表示される。
【００３１】
図１２では、企業情報として、設立年月、資本金、売上高、従業員人数、平均年齢、代表者名、事業所、グループ会社、事業内容、沿革、福利厚生、勤務時間、勤務地、転勤の可能性、応募資格、募集職種、主な職務内容、募集人数、募集学部・学科、採用実績校、選考方法、採用担当者名、メッセージ、説明会情報などが含まれる。また、このページで、履歴書送付を行ったり、資料請求を送信したりすることができる。
【００３２】
次に、図１２から資料請求を行う際の処理フローを図１３乃至図１６を用いて説明する。なお、図１０の端子Ａ及びＢからの続きとなる。学生が、図１２の資料請求のボタン１２０３をクリックすると、学生端末５は資料請求の選択入力をサーバ３に送信する（ステップＳ１１７）。サーバ３は、学生端末５から資料請求の選択入力を受信すると（ステップＳ１１９）、学生の基本情報を含む資料請求メールを作成する（ステップＳ１２１）。ここで学生の基本情報は、例えば図４に示す学生基本情報ＤＢファイルに格納されている情報全てでもよいし、より少ない情報又はより多い情報であってもよい。
【００３３】
そしてサーバ３は、資料請求メール確認画面情報を作成し、学生端末５に送信する（ステップＳ１２３）。学生端末５は、サーバ３から資料請求メール確認画面情報を受信し、表示装置に表示する（ステップＳ１２５）。学生は、表示された資料請求メールを確認して、修正や追加が存在する場合には入力を行った後に、送信ボタンをクリックする。資料請求を取りやめる場合には、キャンセルボタンを押す。そうすると、学生端末５は、サーバ３に、送信する場合には送信内容を含み、キャンセルの場合にはキャンセルであることを示す情報を含む確認入力をサーバ３に送信する（ステップＳ１２７）。サーバ３は、学生端末５からの確認入力を受信し（ステップＳ１２９）、もしキャンセルである場合には図１２の表示に戻る（端子Ｂの状態に戻る）。一方、送信が指示されている場合には、当該資料請求メールを、当該特定の企業宛てに送信する（ステップＳ１３１）。そして、資料請求メールを学生メールＤＢ３５に格納する。
【００３４】
図１４に学生メールＤＢ３５の構成例を示す。本実施の形態では、学生メールＩＤ（各会員）毎に、受信メール格納先フォルダと、送信メール格納先フォルダが設けられる。さらに会員が作成したメールボックスがある場合にはそのためのフォルダが用意される。そして、受信メール格納先フォルダには、受信メール毎にメールファイルが格納され、さらに受信メール制御ファイル群と、後に説明する処理済メールＤＢファイルとが含まれる。同じように、送信メール格納先フォルダには、送信メール毎にメールファイルが格納され、さらに送信メール制御ファイル群と、処理済メールＤＢファイルとが含まれる。このような構成が、学生会員数分用意される。基本的には、企業メールＤＢ４３も同様な構成となっている。
【００３５】
またサーバ３は、資料請求の情報を当該学生の学生メールＩＤ及び資料請求日に対応して学生スケジュールＤＢ３３に登録する（ステップＳ１３３）。例えば、学生スケジュールＤＢ３３の特定の日付のデータ例を図１５に示す。図１５では、開始時間と、終了時間、内容、企業優先順位（後に説明する）、場所の情報が格納されるようになっている。本実施の形態では図１５のようなデータを日付毎に保持するようになっている。すなわち、学生スケジュールＤＢ３３は、例えば図１６に示すような構成を有している。学生メールＩＤ毎に、各年月（西暦＋月）のフォルダが用意され、各年月のフォルダには各日のスケジュール・データ・ファイルが用意される。このような構成が学生会員毎に用意される。このように日付毎に図１５のようなデータを保持するため、図１５自体には年月のデータを保持する必要が無い。
【００３６】
次に、サーバ３は、資料請求メールの送信完了画面情報を学生端末５に送信する（ステップＳ１３５）。そして、学生端末５は、サーバ３から送信完了画面情報を受信して、表示装置に表示する（ステップＳ１３７）。
【００３７】
このようにして、学生は簡単に資料請求を企業に送信することができるようになる。なお、資料請求メール確認画面を表示させずに、予め設定されている内容を学生情報ＤＢ３１から抽出して資料請求メールを作成し、そのまま送信してしまうような構成であってもよい。
【００３８】
次に図１７を用いて図１２において履歴書送付ボタンが学生によりクリックされた場合の処理フローを説明する。図１０の端子Ａ及び端子Ｂからの処理の続きとなっている。図１２において、学生が履歴書送付ボタン１２０１をクリックすると、学生端末５は履歴書送付の選択入力をサーバ３に送信する（ステップＳ１４１：図１７）。サーバ３は、学生端末５から履歴書送付の選択入力を受信すると（ステップＳ１４３）、当該学生の電子履歴書の登録情報を学生情報ＤＢ３１の履歴書ＤＢファイルから読み出す（ステップＳ１４５）。そして、サーバ３は、履歴書内容確認画面情報を作成して、学生端末５に送信する（ステップＳ１４７）。学生端末５は、サーバ３から履歴書内容確認画面情報を受信し、表示装置に表示する（ステップＳ１４９）。そして、学生は表示された履歴書の内容を確認する。ここで追加・修正を行っても良いし、もしこの処理以前に履歴書が履歴書ＤＢファイルに格納されていない場合にはブランクフォームが送信されてきて、この段階で入力を行うようにしてもよい。
【００３９】
学生は、履歴書を送付する場合には送信ボタンをクリックする。一方、送付をキャンセルする場合にはキャンセルボタンをクリックする。これに対して学生端末５は、送信する場合には履歴書の内容を含む確認入力をサーバ３に送信し、キャンセルする場合にはキャンセルを示す情報を含む確認情報をサーバ３に送信する（ステップＳ１５１）。サーバ３は、学生端末５から確認入力を受信し、内容を判断する（ステップＳ１５３）。もし、キャンセルが命じられている場合には、図１２の表示に戻る（端子Ｂの状態に戻る）。一方、サーバ３は、履歴書の内容を受信した場合には、当該履歴書の内容を含むメールを当該企業宛てに送信する（ステップＳ１５５）。また、履歴書送付に関する情報を当該学生メールＩＤ及び送信日付に対応して学生スケジュールＤＢ３３に登録する（ステップＳ１５７）。
【００４０】
なお、履歴書の内容を受信した場合には、学生情報ＤＢ３１の履歴書ＤＢファイルに登録するような構成であってもよい。例えば、ステップＳ１４９においてブランクフォームが表示されて、履歴書の内容が新たに入力されたような場合や、追加・修正が行われた場合である。追加・修正が行われていなくとも、この段階で更新してしまっても良い。
【００４１】
そしてサーバ３は、履歴書送付完了画面情報を学生端末５に送信する（ステップＳ１５９）。学生端末５は、履歴書送付完了画面情報をサーバ３から受信して、表示装置に表示する（ステップＳ１６１）。
【００４２】
このようにして、学生は簡単に履歴書を企業に送付することができる。履歴書は、履歴書ＤＢファイルに登録されているため、企業に送付する毎に記入する必要が無く、効率的である。なお、ステップＳ１４７では履歴書の内容を確認するための画面情報を作成して送信するような構成となっているが、メールで送付されるので、メール全体の内容を確認できるような画面情報を作成して、送信するような構成であってもよい。
【００４３】
次に、図１８乃至図２０を用いて、図９の画面（ステップＳ７１）において企業選択ページへのリンク９２１が学生によりクリックされた場合の処理フローを説明する。企業選択ページへのリンク９２１が学生によりクリックされた場合、学生端末５は、企業選択の選択入力をサーバ３に送信する（ステップＳ１６３）。サーバ３は、学生端末５から企業選択の選択入力を受信し（ステップＳ１６５）、学生情報ＤＢ３１内の検索ログＤＢファイルから既に登録されている企業リストを読み出す（ステップＳ１６７）。なお、企業リストは無くとも良い。そしてサーバ３は、当該企業リストを用いて要求情報入力画面情報を作成し、学生端末５に送信する（ステップＳ１６９）。企業リストが存在しなかった場合には、ブランクフォームが送信されることになる。学生端末５は、サーバ３から要求情報入力画面情報を受信し、表示装置に表示する（ステップＳ１７１）。
【００４４】
例えば図１９のような画面が表示される。企業名の入力欄１９０１、資料請求のチェックボックス欄１９０３、説明会日程のチェックボックス欄１９０５、試験日のチェックボックス欄１９０７、面接日のチェックボックス欄１９０９、企業からのメールのチェックボックス欄１９１１、就職優先順位の入力欄１９１３が設けられている。企業名の入力欄１９０１には検索ログＤＢファイルに格納された企業リストに含まれる企業名がデフォルトでは入力されているが、この画面にて修正可能である。また、資料請求を行う場合には、資料請求のチェックボックス欄１９０３にチェックを行えば自動的に資料請求メールが送信される。さらに、説明会日程のチェックボックス欄１９０５にチェックを付せば、説明会日程についてのメールを受け取ることができる。試験日、面接日、及び企業からのメール（例えばメール・マガジン）についても同様である。就職優先順位の入力欄１９１３については、希望する企業の順番に数字を入力するようになっており、順番が入力されると、学生スケジュールＤＢ３３に格納される情報の順番や、スケジュール表示される順番又は色が企業の優先順位に従って自動的に変更されるようになる。
【００４５】
学生は、要求情報入力画面に従って、企業名を入力し、必要なチェックボックスにチェックを付し、優先順位を入力する。そして、登録ボタンがクリックされると、学生端末５は、企業優先度を含む要求情報入力をサーバ３に送信する（ステップＳ１７３）。サーバ３は、学生端末５から企業優先度を含む要求情報入力を受信し、学生情報ＤＢ３１の選択企業ＤＢファイルに格納する（ステップＳ１７５）。
【００４６】
選択企業ＤＢファイルに格納されるデータの一例を図２０に示す。図２０では、シーケンシャル番号、企業コード、企業名、企業メール・アドレス、資料請求、説明会日程、試験日、面接日、企業からのメール、就職優先順位の各欄が設けられている。資料請求、説明会日程、試験日、面接日、企業からのメールの各欄については、学生によりチェックが付されていた場合にはtrueを格納し、チェックが付されていなかった場合にはfalseを格納するようになっている。
【００４７】
そしてサーバ３は、登録完了画面情報を学生端末５に送信する（ステップＳ１７７）。学生端末５は、サーバ３から登録完了画面情報を受信し、表示装置に表示する（ステップＳ１７９）。
【００４８】
このようにして、学生は予め重要な企業について必要な情報を取得できるように登録を行うことができ、効率的且つ的確な就職活動を行うことができるようになる。また、優先度も各企業について与えられるので、スケジュールなどにおいてどの企業を優先すべきかが簡単に見分けられるようになる。
【００４９】
次に企業の人事スタッフがセミナー情報を登録する際の処理フローを図２１乃至図２５を用いて説明する。最初に、企業の人事スタッフが、企業端末９を操作してホームページへアクセスする（ステップＳ１８１）。それに対してサーバ３は、ホームページの画面情報を企業端末９に送信する（ステップＳ１８３）。企業端末９は、サーバ３からホームページの画面情報を受信して、表示装置に表示する（ステップＳ１８５）。例えば図３のような画面が表示される。そして、例えばこの画面のＩＤ及びパスワード入力欄３０１にＩＤ及びパスワードを入力し、企業端末９にサーバ３へ送信させる（ステップＳ１８７）。
【００５０】
なお、企業の人事スタッフが図示しない企業向けページへのリンクをクリックし、それに対してサーバ３が例えば図６のような画面情報を企業端末９に送信し、企業端末９が図６のような画面を表示して、それに応じて企業の人事スタッフがリンク６０３をクリックし、企業端末９がＩＤ及びパスワード入力画面を表示させるような構成であってもよい。
【００５１】
サーバ３は、企業端末９からＩＤ及びパスワードを受信すると（ステップＳ１８９）、受信したＩＤ及びパスワードの対が、企業情報ＤＢ３７の企業基本情報ＤＢファイル（図７）に格納されたＩＤ及びパスワードの対と同じものがあるか確認することにより認証処理を実施する（ステップＳ１９１）。もし、認証処理に失敗した場合には、サーバ３は認証失敗を通知する画面情報を企業端末９に送信し、企業端末９は当該画面情報を受信して、表示装置に表示する（ステップＳ１９３）。一方、認証処理に成功した場合には、企業会員向けページの画面情報を企業端末９に送信する（ステップＳ１９４）。企業端末９は、サーバ３から企業会員向けページの画面情報を受信し、表示装置に表示する（ステップＳ１９５）。
【００５２】
例えば、図２２に示すような画面が表示される。本実施の形態では、掲示板登録ページへのリンク２２０１、セミナー登録ページへのリンク２２０３、メールマガジン登録ページへのリンク２２０５、学生マッチング・ページへのリンク２２０７、学生検索ページへのリンク２２０９、ログ閲覧ページへのリンク２２１１、登録変更画面へのリンク２２１３、履歴書受信ページへのリンク２２１５、学校情報ページへのリンク２２１７、企業好感度調査結果申込希望入力ページへのリンク２２１９、企業好感度調査結果申込希望入力を行った企業に対してのみ表示される企業好感度調査結果ページへのリンク２２２１などが含まれる。
【００５３】
ここでは企業の人事スタッフがセミナー登録ページへのリンク２２０３をクリックしたものとする。そうすると企業端末９は、セミナー登録の選択入力をサーバ３に送信する（ステップＳ１９７）。サーバ３は、企業端末９からセミナー登録の選択入力を受信し（ステップＳ１９９）、セミナーの日付を確定させるためのカレンダー画面情報を企業端末９に送信する（ステップＳ２０１）。企業端末９は、サーバ３からカレンダー画面情報を受信し、表示装置に表示する（ステップＳ２０３）。例えば、図２３に示すような画面が表示される。ここでは２０００年７月のカレンダーが表示されているが、７月中のセミナーであれば、セミナーの日付の※マークをクリックすれば良く、月を変更する場合には、月変更のためのボタン（ダブル三角マーク）をクリックする。
【００５４】
ここでは図２３のうち特定の日付を企業の人事スタッフがクリックし、企業端末９が当該日付の選択情報をサーバ３に送信するものとする（ステップＳ２０５）。サーバ３は、企業端末９から日付の選択情報を受信し（ステップＳ２０７）、セミナーについての情報入力フォーム画面情報を企業端末９に送信する（ステップＳ２０９）。企業端末９は、サーバ３から入力フォーム画面情報を受信し、表示装置に表示する（ステップＳ２１１）。例えば図２４に示すような画面が表示される。図２４の例では、更新日付（入力日）と、セミナーの時刻・場所の入力欄２４０９、その中の重要表示を行うためのチェックボックスと、公開するか否かを決めるチェックボックスと、内容を記入するための入力欄２４０７とが設けられている。企業の人事スタッフは入力が完了すると図２４の登録ボタン２４０１をクリックする。入力内容を元に戻すためのボタン２４０３も設けられている。さらに、図２３の月間スケジュール画面に戻るためのリンク２４０５も設けられている。
【００５５】
ここでは入力が完了して登録ボタン２４０１がクリックされたものとする。そうすると企業端末９は、セミナー入力情報をサーバ３に送信する（ステップＳ２１３）。サーバ３は、企業端末９からセミナー入力情報を受信し、説明会日程ＤＢ３９に登録する（ステップＳ２１５）。説明会日程ＤＢ３９の一例を図２５に示す。図２５の例では、日付、開始時間、終了時間、内容、場所、企業コードなどが格納されるようになっている。
【００５６】
そして、サーバ３は、本セミナー登録を行った企業が、本システムの主催者か否かを判断する（ステップＳ２１７）。本システムの主催者か否かは、ログインした時の企業メールＩＤを用いれば分かる。もし、本セミナー登録を行った企業が、本システムの主催者である場合には、全学生について学生スケジュールＤＢ３３に本セミナーの内容を登録する（ステップＳ２１９）。一方、本セミナー登録を行った企業が、本システムの主催者でない場合、又はステップＳ２１９の後には、登録完了画面情報を企業端末９に送信する（ステップＳ２２１）。企業端末９は、登録完了画面情報を受信し、表示装置に表示する（ステップＳ２２３）。
【００５７】
このようにすれば、企業は簡単にセミナー開催を登録することができ、学生もセミナー・イベントカレンダーからその開催を知ることができるようになる。また、選択企業ＤＢファイルに当該セミナー登録を行った企業が登録されているか検査し、登録されている場合には登録を行った学生宛てにセミナー開催のメールを送ることができるようになる。よって、企業側の採用活動も効率化される。
【００５８】
次に、図２６乃至図３０を用いて、図９の画面（ステップＳ７１）においてセミナー・イベントカレンダー・ページへのリンク９０３が学生によりクリックされた場合の処理フローを説明する。セミナー・イベントカレンダー・ページへのリンク９０３がクリックされると、学生端末５は、セミナー・イベントカレンダーの選択入力をサーバ３に送信する（ステップＳ２２５）。サーバ３は、学生端末５からセミナー・イベントカレンダーの選択入力を受信し（ステップＳ２２７）、セミナー・イベントカレンダーの画面情報を作成して、学生端末５に送信する（ステップＳ２２９）。学生端末５は、説明日程ＤＢ３９のデータを読み出して、セミナー・イベントカレンダーの画面情報を受信し、表示装置に表示する（ステップＳ２３１）。例えば、図２７のような画面が表示される。ここでは○○株式会社の説明会が１日と１０日に行われることが示されている。
【００５９】
学生は、希望のセミナーのリンクをクリックし、学生端末５はセミナー選択入力をサーバ３に送信する（ステップＳ２３３）。サーバ３は、学生端末５からセミナー選択入力を受信し（ステップＳ２３５）、説明会日程ＤＢ３９からセミナー案内情報を取り出し、当該セミナー案内情報を含む画面情報を学生端末５に送信する（ステップＳ２３７）。学生端末５は、サーバ３からセミナー案内情報を含む画面情報を受信し、表示装置に表示する（ステップＳ２３９）。例えば図２８のような画面が表示される。ここでは会社説明会の案内が表示され、参加申込のためのボタン２８０１が設けられている。
【００６０】
学生が参加申込のためのボタン２８０１をクリックすると、学生端末５は参加申込指示をサーバ３に送信する（ステップＳ２４１）。サーバ３は、学生端末５から参加申込指示を受信して（ステップＳ２４３）、送信メール・フォーム画面情報を学生端末５に送信する（ステップＳ２４５）。学生端末５は、サーバ３から送信メール・フォーム画面情報を受信し、表示装置に表示する（ステップＳ２４７）。例えば図２９のような画面が表示される。本例では、コメント入力欄２９０１と、送信ボタン２９０３、キャンセルボタン２９０５とが設けられている。
【００６１】
学生は、コメント入力欄２９０１にコメントを入力して、送信ボタン２９０３をクリックする。そうすると学生端末９は、コメント入力内容をサーバ３に送信する（ステップＳ２４９）。キャンセルの場合には例えば図２７に戻る。サーバ３は、コメント入力内容を学生端末５から受信し（ステップＳ２５１）、当該コメント入力内容を含む電子メールを、セミナー開催企業宛てに送信する。メール・アドレスは、説明会日程ＤＢ３９に含まれる企業コードを用いて企業情報ＤＢ３７の企業基本情報ＤＢファイルを検索すれば取得することができる。そして、送信されたメールの内容は、当該学生の学生メールＩＤに対応して学生メールＤＢ３５の送信メール格納先フォルダに格納する（ステップＳ２５３）。
【００６２】
そして、サーバ３は、学生スケジュールＤＢ３３への登録問い合わせ画面情報を学生端末５に送信する（ステップＳ２５５）。学生端末５は、サーバ３から登録問い合わせ画面情報を受信し、表示装置に表示する（ステップＳ２５７）。例えば図３０のような画面が表示される。もし、学生スケジュールＤＢ３３に登録する場合には、「はい」ボタン３００１をクリックする。登録しない場合には「いいえ」ボタン３００３をクリックする。学生端末５は、クリックの結果を応答としてサーバ３に送信する（ステップＳ２５９）。
【００６３】
サーバ３は、学生端末５から応答を受信し（ステップＳ２６１）、当該応答が登録を示しているか判断する（ステップＳ２６３）。もし、登録を示している場合には、学生スケジュールＤＢ３３に、当該学生の学生メールＩＤ及びセミナーの日程に対応してセミナー情報を登録する（ステップＳ２６５）。ステップＳ２６３で登録しないと判断された場合、又はステップＳ２６５の登録の後に、サーバ３は学生会員向けページ（図９）の画面情報を学生端末５に送信する（ステップＳ２６７）。これに対して学生端末５は、サーバ３から学生会員向けページの画面情報を受信して、表示装置に表示する（ステップＳ２６９）。
【００６４】
このようにして学生はセミナー登録を行うことができる。また、希望すればセミナー登録のスケジュールも学生スケジュールＤＢ３３に登録されるため、自分の就職活動のスケジュールをサーバ３で一元管理することができる。例えば、学生端末５を使用できない場合であっても、例えば携帯電話機７を操作してサーバ３にアクセスすれば、自分のスケジュールを確認することができる。
【００６５】
次にサーバ３が、学生宛てに送付されてきたメールを受信した際に実施する処理フローを図３１を用いて説明する。最初に、企業から学生メールＩＤ宛てのメールを受信する（ステップＳ２７１）。企業からのメールの一例を図３２に示す。図３２の例では、Subject、Date、From及びToというメール・ヘッダ情報と、「北村賢治様」以下のメール本文部分とを含む。次に、当該メールと学生メールＤＢ３５の処理済メールＤＢファイルとを参照して、処理済メールでないことを確認する（ステップＳ２７３）。処理済メールＤＢファイルの一例を図３３に示す。図３３の例では、シーケンシャル番号、Subject（題名）、Date（日付）、From（送信元）の欄が設けられている。To（送信先）の欄を設けておくことも可能である。これは、企業から送信されてくる企業研究会、試験日、面接日、内内定通知、内定式、入社式等の日程を通知する電子メールを受信して、本処理を実施する毎に抽出されて登録されるものである。例えば、企業からのメールの形式を一定のパターンに限定することができるようになれば、以下で説明するメール内容の抽出処理が簡単になる。企業からのメール送信を例えば自動的に行うような場合には、定型化をサーバ３で行うことができる。学生からのメール送信も自動的に行う場合には定型化してサーバ３が解析しやすくする場合もある。
【００６６】
もし、処理済である場合には、他のメールを処理すべく、一旦処理を終了する。一方、処理済でないと判断された場合には、メール送信元企業がメール送信先（学生メールＩＤ）の選択企業ＤＢファイルに含まれるか判断する（ステップＳ２７５）。すなわち、学生メールＩＤに対応する学生情報ＤＢ３１の選択企業ＤＢファイルを読み出して、メール送信元企業のメール・アドレスが含まれているか確認する。もし、送信元メール・アドレスが選択企業ＤＢファイルに含まれていない場合には、処理を終了する。送信元メール・アドレスが選択企業ＤＢファイルに含まれている場合には、メール内容を抽出する（ステップＳ２７７）。例えば、日時、場所、内容といった学生スケジュールＤＢ３３に登録されるべき項目の文言をメール本文から抽出して、当該文言に関連している節などを取り出す。図３２の例では、日時として「平成１２年４月１１日（火）１３：３０〜」、場所として「長野市鶴賀＊＊＊＊＊＊＊（ＸＸＸＸＸビル）新館８階  大会議室（１階受付にお越しください）」、内容として「役員面接」（メールヘッダのSubjectに書かれている「面接日程のお知らせ」を用いることも可能である）が抽出される。なお、企業名は、選択企業ＤＢファイルの企業コードから企業情報ＤＢ３７を検索すれば取得できる。
【００６７】
そして、メール送信元企業の優先度情報を選択企業ＤＢファイルから取り出して、当該優先度情報と、抽出したメール内容とを学生スケジュールＤＢ３３に登録する（ステップＳ２７９）。その後、処理したメールを処理済メールＤＢファイル（図３３）に登録する（ステップＳ２８１）。上で述べたように、メール・ヘッダのSubject、Date、Fromの情報を取り出して、登録する。これにて処理を終了する。
【００６８】
図３１の処理については、学生メールＩＤ宛てのメールを受信する毎に行っても良いし、周期的又は不定期に行っても良いし、学生端末５からのアクセスがある毎に行っても良い。
【００６９】
このようにすれば、選択企業ＤＢファイルに登録された、学生にとって非常に重要な企業からのメールは自動的に学生スケジュールＤＢ３３に登録されるため、学生はメール見落としなどを防止することができ、重要な企業に対する応対をスムーズに行うことができるようになる。また、優先度の情報も記録されるため、後のスケジュール参照時点においてどの予定を優先させるべきかが一目でわかるようにすることも可能となる。
【００７０】
次に、学生がスケジュールを参照する際の処理フローを図３４乃至図３７を用いて説明する。ここでは図９の画面（ステップＳ７１）が表示されている場面から説明する。学生が、スケジュール・ページへのリンク９１５をクリックすると、学生端末５はスケジュールの選択入力をサーバ３に送信する（ステップＳ２９１）。サーバ３は、学生端末５からスケジュールの選択入力を受信し（ステップＳ２９３）、学生スケジュールＤＢ３３から当該学生メールＩＤのスケジュール情報を読み出す（ステップＳ２９５）。そして、読み出したスケジュール情報を用いて、カレンダー画面情報（優先度情報付）を作成して、学生端末５に送信する（ステップＳ２９７）。学生端末５は、サーバ３からカレンダー画面情報を受信して、表示装置に表示する（ステップＳ２９９）。例えば、図３５のような表示がなされる。ここでは、７月１２日に、Ａ社：面接と、Ｂ社：面接とが予定されていることが示されている。さらに、Ｂ社：面接は斜体且つ太字で表されており、Ａ社より優先度が高いことが示される。
【００７１】
例えば、学生が１２の部分をクリックすると、若しくはＡ社：面接又はＢ社：面接をクリックすると、学生端末５は日付選択入力（本例では１２日が選択されたという情報）をサーバ３に送信する（ステップＳ３０１）。サーバ３は、学生端末５から日付選択入力を受信すると（ステップＳ３０３）、指定の日付のスケジュール情報を学生スケジュールＤＢ３３から読み出して、特定日付スケジュール画面情報を作成し、学生端末５に送信する（ステップＳ３０５）。学生端末５は、サーバ３から特定日付スケジュール画面情報を受信し、表示装置に表示する（ステップＳ３０７）。例えば、図３６のような画面が表示される。図３６の例では、２件の面接が同じ日同じ時間に予定されており、いずれにしか出席できない。学生は、Ａ社予定の削除チェックボックス３６０１又はＢ社予定の削除チェックボックス３６０３のいずれかにチェックを付すことになる。ここでは、優先度が低いＡ社予定の削除チェックボックス３６０１にチェックが付されている。なお、図３６では優先度が示されていないが、優先度の情報を表示するような態様にすればより分かりやすくなる。
【００７２】
図３６において、Ａ社予定の削除チェックボックス３６０１又はＢ社予定の削除チェックボックス３６０３にチェックを付し、当該状態を学生スケジュールＤＢ３３に登録する場合には、登録ボタン３６０５をクリックする。入力した内容を元に戻す場合にはボタン３６０７をクリックする。ここでは、登録ボタン３６０５がクリックされたものとして説明する。登録ボタン３６０５のクリックに応答して、学生端末５は予定削除選択入力（どれを削除したかを示す情報及び登録指示）をサーバ３に送信する（ステップＳ３０９）。  サーバ３は、学生端末５から予定削除選択入力を受信し（ステップＳ３１１）、学生スケジュールＤＢ３３から、指定された予定を削除する（ステップＳ３１３）。また、当該企業メールＩＤ宛てのメール送信フォーム画面情報を学生端末５に送信する（ステップＳ３１５）。学生端末５は、サーバ３からメール送信フォーム画面情報を受信し、表示装置に表示する（ステップＳ３１７）。例えば、図３７のような画面が表示される。
【００７３】
図３７の例では、題名（subject）入力欄３７０５、宛先入力欄３７０７、ｃｃアドレス入力欄３７０９、Ｂｃｃアドレス入力欄３７１１、本文入力欄３７１３が設けられている。宛先については、選択ボタン３７０３を押すことにより、自動的に宛先アドレスを設定することができるようになっている。但し、ステップＳ３１５において、削除された予定に係る企業の企業メールＩＤを例えば企業情報ＤＢ３７から取得するようにしてもよい。メールの宛先及び内容を入力して、送信する場合には送信ボタン３７０１をクリックする。
【００７４】
そうすると学生端末５は、図３７に従って入力された情報であるメール内容入力情報をサーバ３に送信する（ステップＳ３１９）。サーバ３は、学生端末５からメール内容入力情報を受信し（ステップＳ３２１）、当該メール内容入力情報に従ってメールを作成して、送信する（ステップＳ３２３）。なお、送信されたメールは、学生メールＤＢ３５の送信メール格納先フォルダに格納される。そして、サーバ３は、メール送信完了通知画面情報を学生端末５に送信する（ステップＳ３２５）。学生端末５は、サーバ３からメール送信完了通知画面情報を受信し、表示装置に表示する（ステップＳ３２７）。
【００７５】
このように、学生はスケジュールを簡単に見ることができ、且つ予定の重複が存在する場合には、当該重複及び予定の優先順位を簡単に把握することもできる。さらに、予定を削除する場合には、削除する予定に係る企業に対して予定の変更をお願いしたり、謝りのメールを出すことを促されるため、メールの出し忘れなどを防止することができる。
【００７６】
次に図３８乃至図４０を用いて、学生が就職活動履歴情報を取得する際の処理フローを説明する。最初に、サーバ３は、学生スケジュールＤＢ３３を検索して、内定式日程確定学生を抽出する（図３８：ステップＳ３３１）。そして、内定式日程確定学生宛てに、就職活動履歴情報をダウンロードできることを知らせる就職活動履歴作成案内メールを送信する（ステップＳ３３３）。
【００７７】
これにより内定式日程が確定している学生については、自分の就職活動の履歴情報を記念に自己の端末にダウンロードできることを知ることができる。
【００７８】
例えばこのメールに応答して、当該学生がダウンロードする際の処理フローを図３９及び図４０を用いて説明する。ここでは、図９（ステップＳ７１）の画面が表示されている場面から説明する。学生は、「私の就職履歴活動日誌の作成」ページへのリンク９２５をクリックし、学生端末５は、就職履歴活動日誌作成の選択入力をサーバ３に送信する（ステップＳ３３５）。サーバ３は、学生端末５から就職履歴活動日誌作成の選択入力を受信し（ステップＳ３３６）、少なくとも学生スケジュールＤＢ３３及び学生メールＤＢ３５を用いて、日誌画面情報を作成し、学生端末５に送信する（ステップＳ３３７）。学生端末５は、サーバ３から日誌画面情報を受信し、表示装置に表示する（ステップＳ３３９）。例えば図４０のような画面が表示される。図４０は学生メールＤＢ３５の内容（一部）をまとめたもので、一画面だけで全ての内容を表すようにしなくともよい。一画面で表すことができれば、一画面で全ての内容を表すようにしてもよい。
【００７９】
本例では説明を簡単にするために、図４０の画面の内容を確認して、問題が無ければＯＫボタン４００１をクリックする。ダウンロードをキャンセルする場合にはキャンセルボタン４００３をクリックする。学生によるクリックに応じて、学生端末５は確認入力（ＯＫ又はキャンセルの指示情報）をサーバ３に送信する（ステップＳ３４１）。サーバ３は、学生端末５から確認入力を受信すると（ステップＳ３４３）、確認入力の内容を確認する。もしキャンセルボタン４００３がクリックされたことによる確認入力であるならば、ステップＳ６９に戻る。一方、ＯＫボタン４００１がクリックされたことによる確認入力である場合には、ダウンロード用ファイルを作成する（ステップＳ３４５）。ダウンロード用ファイルは、当該学生についての学生スケジュールＤＢ３３及び学生メールＤＢ３５等のデータを圧縮して作成される。例えば自己解凍型の圧縮方式を採用する。そして、このダウンロード用ファイルのデータ量を検出して、データ量表示画面情報を作成して、学生端末５に送信する（ステップＳ３４７）。このデータ量表示画面には、データ量を確認してデータをダウンロードすることを命じるボタンと、ダウンロードを止めることを命じるボタンとを含む。
【００８０】
学生端末５は、サーバ３からデータ量表示画面情報を受信し、表示装置に表示する（ステップＳ３４９）。もしダウンロードしても問題無いようなデータ量であれば、学生はダウンロード・ボタンをクリックし、問題あるような大きさのデータ量となった場合には、キャンセルボタンをクリックする。このボタンのクリックに応じて、学生端末５は確認入力（ダウンロード又はキャンセルの指示情報）をサーバ３に送信する（ステップＳ３５１）。サーバ３は、学生端末５から確認入力を受信し（ステップＳ３５３）、確認入力の内容を判断する。もし、キャンセルという確認入力である場合には、ステップＳ６９に戻る。一方、ダウンロードという確認入力である場合には、ダウンロード用ファイルを学生端末５に送信する（ステップＳ３５５）。学生端末５はダウンロード用ファイルをサーバ３から受信して、学生端末５の記憶装置に格納する。
【００８１】
このようにすれば就職活動の結果サーバ３に蓄積されたデータを後でダウンロードできる。よって、記念となるデータを自分の端末の記憶装置に格納できる。
【００８２】
次に、企業訪問等における印象などから生じる企業イメージ等について学生に対してアンケートを行い、アンケートを取りまとめて企業に提供する場合の処理フローを図４１乃至図４８を用いて説明する。図４１乃至図４５では、学生に、企業訪問からできるだけ早めにアンケートに答えてもらうための処理フローを説明する。現在学生端末５には図９（ステップＳ７１）の画面が表示されているものとする。そして、学生がスケジュール・ページへのリンク９１５をクリックしたものとする。そうすると、学生端末５は、スケジュールの選択入力をサーバ３に送信する（ステップＳ３５９）。サーバ３は、学生端末５からスケジュールの選択入力を受信すると（ステップＳ３６１）、システム日付を取得する（ステップＳ３６３）。そして、当該学生について学生スケジュールＤＢ３３を検索して、過去所定期間内（例えば一週間以内）の会社訪問予定を抽出する（ステップＳ３６５）。
【００８３】
そしてサーバ３は、会社訪問予定が存在しているか判断する（ステップＳ３６７）。会社訪問予定が存在していなかった場合にはステップＳ３８７に移行する。一方、会社訪問予定が存在していた場合には、アンケートに回答済みであるかを、学生情報ＤＢ３１の回答済みＤＢファイルを参照して判断する（ステップＳ３６９）。回答済みＤＢファイルの一例を図４２に示す。図４２の例では、シーケンシャル番号と、企業コードと、企業名とが記録される。もし、全ての企業に対して回答済みである場合にはステップＳ３８７に移行する。一方、一つでも未回答の企業が存在している場合には、訪問した会社のアンケート情報をアンケート情報ＤＢ４１のアンケート項目ＤＢファイルから読み出す（ステップＳ３７１）。なお、会社毎にアンケート項目を変更することも可能であるし、全ての会社について同じにしてもよい。図４３にアンケート項目ＤＢファイルの一例を示す。ここでは、シーケンシャル番号と、アンケート項目番号と、アンケート内容とが登録されている。
【００８４】
サーバ３は、読み出したアンケート情報を用いてアンケート画面情報を作成し、学生端末５に送信する（ステップＳ３７３）。学生端末５は、サーバ３からアンケート画面情報を受信し、表示装置に表示する（ステップＳ３７５）。例えば、図４４のような画面が表示される。図４４では５項目のアンケート項目が存在しており、評価は５段階で指定する。評価を登録する場合には登録ボタン４３０１をクリックし、評価をリセットする場合にはリセットボタン４３０３をクリックする。また、この時点で回答したくない場合には、「後で回答する」ボタン４３０５をクリックする。
【００８５】
学生のクリックに応じて、学生端末５は、サーバ３に入力情報（登録の場合には回答情報、後で回答する場合にはその指示情報）を送信する（ステップＳ３７７）。サーバ３は、学生端末５から入力情報を受信すると（ステップＳ３７９）、アンケートの回答を含むか否かを判断する（ステップＳ３８１）。アンケートの回答を含まない場合には、ステップＳ３８７に移行する。一方、アンケートの回答を含む場合には、当該アンケートの回答である評価と、当該学生のその企業に対する優先度を、アンケート情報ＤＢ４１の企業評価ＤＢファイルに登録する（ステップＳ３８３）。企業評価ＤＢファイルの一例を図４５に示す。図４５の例では、シーケンシャル番号、企業コード、企業名、アンケート項目１の評価値、アンケート項目２の評価値、アンケート項目３の評価値、アンケート項目４の評価値、アンケート項目５の評価値、アンケート総合の評価値、アンケート回答学生の当該企業の優先企業値（優先度総加算値）、回答者総数、回答者男総数、回答者女総数等が含まれる。このように、サーバ３は、学生のアンケートに対する回答である評価値をそれぞれの項目に加算し、さらに選択企業ＤＢファイルから当該企業の優先度を取り出して、優先企業値（優先度）に加算する。
【００８６】
そして、サーバ３は今回回答した企業を、回答済みＤＢファイルに登録する（ステップＳ３８５）。そして、学生スケジュールＤＢ３３からスケジュール情報を読み出して、カレンダー画面情報を作成し、学生端末５に送信する（ステップＳ３８７）。学生端末５は、サーバ３からカレンダー画面情報を受信して、表示装置に表示する（ステップＳ３８９）。これでスケジュール内容を見ることができるようになる。
【００８７】
このようにすれば、訪問した企業の印象が薄れる前にアンケートに回答してもらい、より正しい好感度調査ができる。なお、上の例ではアンケートに答えるか否かを選択する画面情報を、アンケート画面情報（図４４）が兼ねていたが、別途アンケートに答えるか否かを選択する画面情報を作成して、学生端末５に送信し、当該選択に基づいて図４４のようなアンケート画面情報を送信するような構成とすることも可能である。
【００８８】
次に、図４６乃至図４８を用いて学生が一括して企業評価のアンケートに回答する場合の処理フローを説明する。図４６は、最初にサーバ３が学生に対して企業評価アンケート入力案内を出す場合のフローである。最初に、サーバ３は、学生スケジュールＤＢ３３を検索して、内定式の日程が確定している学生を抽出する（ステップＳ３９１）。そして、内定式の日程が確定している学生の学生メールＩＤ宛てに企業評価アンケート入力の案内メールを送信する（ステップＳ３９３）。これにより学生は、企業評価アンケートの存在を知ることができるようになる。
【００８９】
そして、学生は、学生端末５に、企業評価のためのＷｅｂページにアクセスさせる（ステップＳ３９５）。サーバ３は、アクセスに応答して、ＩＤ及びパスワードの入力要求を学生端末５に送信する（ステップＳ３９７）。学生端末５は、ＩＤ及びパスワードの入力要求を受信して、表示する（ステップＳ３９９）。学生は、これを見て、ＩＤ及びパスワードを入力し、学生端末５は、入力されたＩＤ及びパスワードを、サーバ３に送信する（ステップＳ４０１）。これに対してサーバ３は、学生端末５からＩＤ及びパスワードを受信して（ステップＳ４０３）、認証処理を実施する（ステップＳ４０５）。すなわち、学生情報ＤＢ３１の学生基本情報ＤＢファイルを検索して、受信したＩＤ及びパスワードの対が格納されているか確認する。もし、認証に失敗した場合には、サーバ３は認証失敗の通知を学生端末５に送信し、学生端末５は当該通知を受信して表示する（ステップＳ４０７）。一方、認証に成功した場合には、当該学生の学生スケジュールＤＢ３３を検索して、訪問企業名を抽出する（ステップＳ４０９）。
【００９０】
そして、サーバ３はアンケート未回答企業を、学生情報ＤＢ３１に含まれる回答済みＤＢファイル（図４２）を参照して、さらに抽出する（ステップＳ４１１）。すなわち、ステップＳ４０９で抽出された訪問企業名から、回答済みＤＢファイルに格納された企業名を削除する。もし、全ての訪問企業について回答している場合には、サーバ３は全て回答している旨の通知画面を学生端末５に送信し、学生端末５は当該通知を受信し表示する。一方、一つでも未回答の企業が存在する場合には、アンケート回答対象企業についてのアンケート回答画面情報を作成し、学生端末５に送信する。学生端末５は、サーバ３からアンケート回答画面情報を受信し、表示装置に表示する（ステップＳ４１５）。例えば図４８に示すような画面が表示される。
【００９１】
図４８では、Ａ建設、Ｂ商事、Ｃ電機がアンケート未回答企業として列挙されている。そして、項目１から項目５まで、加えて総合評価を５段階にて入力するようになっている。もし、入力内容をクリアする場合にはリセットボタン４８０３をクリックする。一方、アンケートの回答を登録する場合には、登録ボタン４８０１をクリックする。学生端末５は、学生の登録ボタン４８０１のクリックに応答して、アンケート回答内容をサーバ３に送信する（ステップＳ４１７）。そして、サーバ３は、学生端末５からアンケート回答内容を受信し（ステップＳ４１９）、アンケート対象企業の企業評価情報と、当該学生情報ＤＢ３１の選択企業ＤＢファイルから読み出された企業の優先度（優先順位）とを、アンケート情報ＤＢ４１の企業評価ＤＢファイル（図４５）に登録する（ステップＳ４２１）。上でも説明したが、各アンケート項目の評価値を加算し、さらに優先度も加算する。また、回答総数も１インクリメントし、学生の男女別のカウント値もいずれかを１インクリメントする。
【００９２】
そして、サーバ３は、アンケートに答えた企業の情報を回答済みＤＢファイルに登録する（ステップＳ４２３）。その後、サーバ３は、回答登録完了画面情報を学生端末５に送信する（ステップＳ４２５）。学生端末５は、回答登録完了画面情報を受信し、表示装置に表示する（ステップＳ４２７）。
【００９３】
このようにアンケート結果を企業評価ＤＢファイルに蓄積することができるようになる。
【００９４】
次に企業がこのアンケート結果を受け取る際の処理フローを図４９及び図５０を用いて説明する。なお、企業メールＩＤ宛てにはサーバ３から、申し込みを行えば企業好感度調査結果を受信できる旨の電子メールを予め送信しているものとする。なお、本サービスは有料を前提としているが、企業登録時に料金を徴収することで本サービス単体では無料とすることも可能である。
【００９５】
ここでは図２２（図２１のステップＳ１９５）が表示されている状況とする。そして企業の人事スタッフが、企業好感度調査結果申込希望ページへのリンク２２１９をクリックすると、企業端末９は企業好感度調査結果申込希望の選択入力をサーバ３に送信する（ステップＳ４２９）。サーバ３は、企業好感度調査結果申込希望の選択入力を企業端末９から受信すると（ステップＳ４３１）、当該申し込みを行った企業の企業コード、企業名、及び企業メールＩＤを、企業情報ＤＢ３７の企業基本情報ＤＢファイルから取り出して、アンケート情報ＤＢ４１の申込状況ＤＢファイルに格納する（ステップＳ４３３）。図５０に申込状況ＤＢファイルの一例を示す。シーケンシャル番号と、企業コード、企業名、及び企業メールＩＤが格納される。
【００９６】
そしてサーバ３は、登録完了画面情報を企業端末９に送信する（ステップＳ４３５）。企業端末９は、サーバ３から登録完了画面情報を受信し、表示装置に表示する（ステップＳ４３７）。このようにして企業のアンケート調査結果の受け取り申し込みを登録することができる。
【００９７】
次に、企業の人事スタッフが企業好感度調査結果の受信を行う際の処理フローを図５１乃至図５３を用いて説明する。最初に、企業の人事スタッフが、企業端末９を操作してホームページへアクセスする（ステップＳ４３９）。それに対してサーバ３は、ホームページの画面情報を企業端末９に送信する（ステップＳ４４１）。企業端末９は、サーバ３からホームページの画面情報を受信して、表示装置に表示する（ステップＳ４４３）。例えば図３のような画面が表示される。そして、例えばこの画面のＩＤ及びパスワード入力欄３０１にＩＤ及びパスワードを入力し、企業端末９にサーバ３へ送信させる（ステップＳ４４５）。
【００９８】
なお、企業の人事スタッフが図示しない企業向けページへのリンクをクリックし、それに対してサーバ３が例えば図６のような画面情報を企業端末９に送信し、企業端末９が図６のような画面を表示して、それに応じて企業の人事スタッフがリンク６０３をクリックし、企業端末９がＩＤ及びパスワード入力画面を表示させるような構成であってもよい。
【００９９】
サーバ３は、企業端末９からＩＤ及びパスワードを受信すると（ステップＳ４４７）、受信したＩＤ及びパスワードの対が、企業情報ＤＢ３７の企業基本情報ＤＢファイル（図７）に格納されたＩＤ及びパスワードの対と同じものがあるか確認することにより認証処理を実施する（ステップＳ４４９）。もし、認証処理に失敗した場合には、サーバ３は認証失敗を通知する画面情報を企業端末９に送信し、企業端末９は当該画面情報を受信して、表示装置に表示する（ステップＳ４５１）。一方、認証処理に成功した場合には、当該企業の企業好感度調査結果希望が、アンケート情報ＤＢ４１の申込状況ＤＢファイルに格納されているか確認する（ステップＳ４５３）。
【０１００】
そして、サーバ３は、申込状況ＤＢファイルへの登録の有無に従って、企業会員向けページの画面情報を作成し、企業端末９に送信する（ステップＳ４５５）。企業端末９は、サーバ３から企業会員向けページの画面情報を受信し、表示装置に表示する（ステップＳ４５７）。
【０１０１】
例えば、図２２に示すような画面が表示される。但し、点線で囲まれている企業好感度調査結果ページへのリンク２２２１については、企業好感度調査結果申込希望入力を行った企業に対してのみ表示される。それ以外の企業の企業端末９には、リンク２２２１は表示されない。
【０１０２】
ここでは企業の人事スタッフが企業好感度調査結果ページへのリンク２２２１をクリックしたものとする。そうすると企業端末９は、企業好感度調査結果の選択入力をサーバ３に送信する（ステップＳ４５９）。サーバ３は、企業端末９から企業好感度調査結果の選択入力を受信し（ステップＳ４６１）、調査結果をアンケート情報ＤＢ４１の企業評価ＤＢファイルから読み出す（ステップＳ４６３）。また、アンケート内容をアンケート項目ＤＢファイルから取り出す。例えば図５２に示すような調査結果が抽出される。すなわち、シーケンシャル番号、アンケート項目番号（項目１乃至５及び総合）、アンケート内容（アンケート項目ＤＢファイルから）、貴社平均、参加企業平均についてのデータが抽出される。そして、サーバ３は、調査結果画面情報を作成して、企業端末９に送信する（ステップＳ４６５）。企業端末９は、サーバ３から調査結果画面情報を受信し、表示装置に表示する（ステップＳ４６７）。
【０１０３】
例えば図５３のような画面が表示される。図５２の情報がそのまま表示される。なお、送信ボタン５３０１がクリックされれば、当該調査結果がメールで送信される。戻るボタン５３０３がクリックされれば、図２２の画面に戻る。
【０１０４】
ここでは送信ボタンがクリックされたものとする。そうすると企業端末９は、情報送信指示入力をサーバ３に送信する（ステップＳ４６９）。サーバ３は、企業端末９から情報送信指示入力を受信すると（ステップＳ４７１）、調査結果を添付したメールを企業メールＩＤ宛てに送信する（ステップＳ４７３）。そして、送信完了通知画面情報を企業端末９に送信する（ステップＳ４７５）。企業端末９は、サーバ３から送信完了通知画面情報を受信して、表示装置に表示する（ステップＳ４７７）。サーバ３は、この企業に対して情報提供料を請求するための処理を実施する（ステップＳ４７９）。例えば、情報提供料の請求書を発行するシステムにデータを送信したり、情報提供料の請求書についてのメールを企業メールＩＤ宛てに送信したりする。
【０１０５】
このようにすれば、企業は学生から就職活動上の経験についてフィードバックを受けることができ、次回の採用活動に役立てることができるようになる。
【０１０６】
以上本発明の一実施の形態を説明したが、本発明はこれに限定されず様々な変形が可能である。例えば、上で述べた画面例は一例であって様々な構成が可能である。例えば、携帯電話機７に対しては、より小さい画面で内容がわかるような画面構成に変更するような場合もある。さらに、処理フローも同様の処理を行うため、順番を入れ替えたり、同時に実行したりすることも可能なステップも含まれる。また、データベースの構成も上で述べたものは一例であって、同様な情報を異なる態様で格納することも可能である。
【０１０７】
以上述べたような処理を実行するようなプログラムがサーバ３にはインストールされており、当該プログラムは記憶媒体、記憶装置に格納されて配布される場合がある。中間的なデータについてはサーバ３のメインメモリ等の記憶装置に格納される。また、入力欄を含む画面情報を送信することは、受け手のユーザに対して入力を促す意味を有している。
【０１０８】
（付記１）
電子メールに基づき就職活動のスケジュール管理を行う方法であって、
就職活動を行っている学生宛ての電子メールからスケジュール情報を抽出するステップと、
抽出された前記スケジュール情報に含まれている企業名が、予め登録されており且つ企業毎に優先度が付された企業リストに含まれているか判断するステップと、
前記スケジュール情報に含まれている企業名が前記企業リストに含まれている場合には、前記スケジュール情報を当該企業の優先度の情報と共に、スケジュール記憶装置に格納するステップと、
を含むスケジュール管理方法。
【０１０９】
（付記２）
前記学生の端末からの要求に応じて、特定の日付のスケジュール情報を当該学生の端末に送信するステップと、
前記学生の端末から、前記特定の日付のスケジュール情報に含まれるいずれかの企業の予定を削除する要求を受信した場合に、当該要求に従って、指定された当該企業の予定を前記スケジュール記憶装置から削除するステップと、
を含む付記１記載のスケジュール管理方法。
【０１１０】
（付記３）
前記予定を削除する要求を受信した場合に、前記学生の端末に、指定された前記企業宛てのメール送信を促すための情報を送信するステップ
をさらに含む付記２記載のスケジュール管理方法。
【０１１１】
（付記４）
企業宛ての電子メールを送信する場合に、当該電子メールの内容に関連する情報をスケジュール記憶装置に格納するステップ、
をさらに含む付記１記載のスケジュール管理方法。
【０１１２】
（付記５）
システム主催者によるスケジュール情報登録を受け付けた場合に、前記スケジュール記憶装置の各学生の領域に当該スケジュール情報を格納するステップ
をさらに含む付記１記載のスケジュール管理方法。
【０１１３】
（付記６）
前記学生の端末からスケジュール情報の参照要求を受信した場合には、当該参照要求前に企業訪問が予定されていたか、前記スケジュール記憶装置内の当該学生の領域を検査するステップと、
前記参照要求前に企業訪問が予定されていた場合には、当該企業についてのアンケートに回答するように促すための情報を、前記学生の端末に送信するステップと、
をさらに含む付記１記載のスケジュール管理方法。
【０１１４】
（付記７）
前記学生の端末から特定の企業に対する履歴書送付要求を受信した場合に、当該学生の履歴書のデータを含む電子メールを前記特定の企業宛てに送信するステップと、
前記特定の企業に対して履歴書を送付したことを、スケジュール記憶装置に格納するステップと、
を含む付記１記載のスケジュール管理方法。
【０１１５】
（付記８）
前記学生の端末からの要求に応じて、前記スケジュール記憶装置に格納されているスケジュール情報と、電子メールの情報とをファイルとして当該学生の端末に送信するステップと、
を含む付記１記載のスケジュール管理方法。
【０１１６】
（付記９）
電子メールに基づき就職活動のスケジュール管理を行うためのプログラムを格納する記録媒体であって、
前記プログラムは、コンピュータに、
就職活動を行っている学生宛ての電子メールからスケジュール情報を抽出するステップと、
抽出された前記スケジュール情報に含まれている企業名が、予め登録されており且つ企業毎に優先度が付された企業リストに含まれているか判断するステップと、
前記スケジュール情報に含まれている企業名が前記企業リストに含まれている場合には、前記スケジュール情報を当該企業の優先度の情報と共に、スケジュール記憶装置に格納するステップと、
を実行させるためのプログラムである、記録媒体。
【０１１７】
（付記１０）
電子メールに基づき就職活動のスケジュール管理を行うコンピュータ・システムであって、
就職活動を行っている学生宛ての電子メールからスケジュール情報を抽出する手段と、
抽出された前記スケジュール情報に含まれている企業名が、予め登録されており且つ企業毎に優先度が付された企業リストに含まれているか判断する手段と、
前記スケジュール情報に含まれている企業名が前記企業リストに含まれている場合には、前記スケジュール情報を当該企業の優先度の情報と共に、スケジュール記憶装置に格納する手段と、
を有するコンピュータ・システム。
【図面の簡単な説明】
【０１１８】
【図１】本発明の一実施の形態に係るシステムの概要を示す図である。
【図２】学生登録のための処理フローを示すフローチャートである。
【図３】サーバで提供するホームページの一例である。
【図４】学生基本情報ＤＢファイルの一例を示す図である。
【図５】企業登録のための処理フローを示す図である。
【図６】企業向けページの一例を示す図である。
【図７】企業情報ＤＢファイルの一例を示す図である。
【図８】学生が電子履歴書を登録する際の処理フローを示す図である。
【図９】学生会員向けページの一例を示す図である。
【図１０】学生による企業マッチング処理における処理フローを示す図である。
【図１１】企業マッチング処理結果である企業一覧の表示例である。
【図１２】企業詳細情報表示例である。
【図１３】学生による資料請求処理のフローチャートである。
【図１４】学生メールＤＢのファイル構成の一例を示す図である。
【図１５】学生スケジュールＤＢに格納される１日分のデータの一例を示す図である。
【図１６】学生スケジュールＤＢのファイル構成の一例を示す図である。
【図１７】学生による履歴書送付処理のフローチャートである。
【図１８】企業選択処理のフローチャートである。
【図１９】情報入手希望企業の登録画面例を示す図である。
【図２０】選択企業ＤＢファイルに格納される情報の一例を示す図である。
【図２１】企業によるセミナー登録処理のフローチャートである。
【図２２】企業会員向けページの一例を示す図である。
【図２３】企業セミナースケジュール入力のための画面例を示す図である。
【図２４】企業セミナースケジュール入力のための画面例を示す図である。
【図２５】説明会日程ＤＢに格納される情報の一例を示す図である。
【図２６】学生によるセミナー登録の処理フローを示すフローチャートである。
【図２７】セミナー登録のための画面例を示す図である。
【図２８】セミナー登録のための画面例を示す図である。
【図２９】セミナー参加申込メールの入力画面例である。
【図３０】セミナー参加をスケジュール登録するための画面例である。
【図３１】受信メールのスケジュール登録の際の処理フローを示す図である。
【図３２】学生宛てのメールの一例を示す図である。
【図３３】処理済メールＤＢファイルに格納されるデータの一例を示す図である。
【図３４】スケジュール参照及び重複予定削除のための処理フローを示すフローチャートである。
【図３５】学生の月間スケジュールを示す画面例を示す図である。
【図３６】重複予定削除を説明するための画面例である。
【図３７】削除された予定に係る企業に送信するメール入力欄である。
【図３８】就職活動履歴作成案内メール送信の処理フローを示す図である。
【図３９】就職活動履歴作成の処理フローを示す図である。
【図４０】就職活動履歴の一例を示す図である。
【図４１】アンケート回答処理の一例を示すフローチャートである。
【図４２】回答済みＤＢファイルに格納されるデータの一例を示す図である。
【図４３】アンケート項目ＤＢファイルに格納されるデータの一例を示す図である。
【図４４】アンケート回答画面の一例を示す図である。
【図４５】企業評価ＤＢファイルの一例を示す図である。
【図４６】企業評価アンケート入力の案内メール送信の処理フローを示すフローチャートである。
【図４７】アンケート回答処理の一例を示す図である。
【図４８】アンケート回答画面の一例を示す図である。
【図４９】企業好感度調査結果申込処理のフローチャートを示す図である。
【図５０】申込状況ＤＢファイルに格納されるデータの一例を示す図である。
【図５１】企業好感度調査結果の参照処理の一例を示す図である。
【図５２】アンケート結果表示画面用データの一例である。
【図５３】アンケート結果表示画面の一例を示す図である。
【符号の説明】
【０１１９】
１  インターネット    ３  サーバ    ５  学生端末
７  携帯電話機    ９  企業端末    ３１  学生情報ＤＢ
３３  学生スケジュールＤＢ    ３５  学生メールＤＢ
３７  企業情報ＤＢ    ３９  説明会日程ＤＢ
４１  アンケート情報ＤＢ    ４３  企業メールＤＢ
【図１】
2007115277.tif 000003
【図２】
2007115277.tif 000004
【図３】
2007115277.tif 000005
【図４】
2007115277.tif 000006
【図５】
2007115277.tif 000007
【図６】
2007115277.tif 000008
【図７】
2007115277.tif 000009
【図８】
2007115277.tif 000010
【図９】
2007115277.tif 000011
【図１０】
2007115277.tif 000012
【図１１】
2007115277.tif 000013
【図１２】
2007115277.tif 000014
【図１３】
2007115277.tif 000015
【図１４】
2007115277.tif 000016
【図１５】
2007115277.tif 000017
【図１６】
2007115277.tif 000018
【図１７】
2007115277.tif 000019
【図１８】
2007115277.tif 000020
【図１９】
2007115277.tif 000021
【図２０】
2007115277.tif 000022
【図２１】
2007115277.tif 000023
【図２２】
2007115277.tif 000024
【図２３】
2007115277.tif 000025
【図２４】
2007115277.tif 000026
【図２５】
2007115277.tif 000027
【図２６】
2007115277.tif 000028
【図２７】
2007115277.tif 000029
【図２８】
2007115277.tif 000030
【図２９】
2007115277.tif 000031
【図３０】
2007115277.tif 000032
【図３１】
2007115277.tif 000033
【図３２】
2007115277.tif 000034
【図３３】
2007115277.tif 000035
【図３４】
2007115277.tif 000036
【図３５】
2007115277.tif 000037
【図３６】
2007115277.tif 000038
【図３７】
2007115277.tif 000039
【図３８】
2007115277.tif 000040
【図３９】
2007115277.tif 000041
【図４０】
2007115277.tif 000042
【図４１】
2007115277.tif 000043
【図４２】
2007115277.tif 000044
【図４３】
2007115277.tif 000045
【図４４】
2007115277.tif 000046
【図４５】
2007115277.tif 000047
【図４６】
2007115277.tif 000048
【図４７】
2007115277.tif 000049
【図４８】
2007115277.tif 000050
【図４９】
2007115277.tif 000051
【図５０】
2007115277.tif 000052
【図５１】
2007115277.tif 000053
【図５２】
2007115277.tif 000054
【図５３】
2007115277.tif 000055